(57)【要約】【課題】例えば、注水作業が容易で、かつ、水漏れが起き難く、更には容器装置の分別廃棄が容易な容器装置を提供することである。【解決手段】袋部と、前記袋部に取り付けられた筒状部Ａと、コック装置とを有する容器装置であって、前記筒状部Ａは掛止部を具備し、前記コック装置は、ノズル部と、レバー部と、筒状部Ｂと、前記筒状部Ｂを前記筒状部Ａに装着した場合、前記筒状部Ａの掛止部に掛止する被掛止部とを具備してなり、前記レバー部は、前記筒状部Ｂを前記筒状部Ａに装着した状態において、該レバー部の動作によって、前記袋部内の流体が、前記ノズル部を介して外部に流出することを可能としたり前記流出を停止せしめるよう構成されてなり、前記筒状部Ｂの前記筒状部Ａへの装着および／または離脱を容易にする変形機構を更に具備する。【選択図】図１
2015000757.tif 000002
【特許請求の範囲】
【請求項１】
袋部と、前記袋部に取り付けられた筒状部Ａと、コック装置とを有する容器装置であって、
前記筒状部Ａは、
掛止部を具備し、
前記コック装置は、
ノズル部と、
レバー部と、
筒状部Ｂと、
前記筒状部Ｂを前記筒状部Ａに装着した場合、前記筒状部Ａの掛止部に掛止する被掛止部
とを具備してなり、
前記レバー部は、
前記筒状部Ｂを前記筒状部Ａに装着した状態において、該レバー部の動作によって、前記袋部内の流体が、前記ノズル部を介して外部に流出することを可能としたり前記流出を停止せしめるよう構成されてなり、
前記筒状部Ｂの前記筒状部Ａへの装着および／または離脱を容易にする変形機構を更に具備する
ことを特徴とする容器装置。
【請求項２】
前記変形機構は、
前記掛止部および／または前記被掛止部の少なくとも一部の変形を容易とする機構である
ことを特徴とする請求項１の容器装置。
【請求項３】
前記変形機構は、
前記掛止部および／または前記被掛止部に所定以上の力を作用させた場合、前記掛止部および／または前記被掛止部の少なくとも一部が切断される切断機構である
ことを特徴とする請求項２の容器装置。
【請求項４】
前記変形機構は、
前記掛止部および／または前記被掛止部の周囲方向に沿って前記掛止部および／または前記被掛止部に構成された薄肉部である
ことを特徴とする請求項３の容器装置。
【請求項５】
前記被掛止部は摘部を具備してなり、
前記変形機構は、
前記摘部を持って、前記被掛止部に、所定以上の力を作用させた場合、該被掛止部の少なくとも一部が切断されるよう構成されてなる
ことを特徴とする請求項１〜請求項４いずれかの容器装置。
【請求項６】
前記被掛止部は摘部を具備してなり、
前記変形機構は、
前記摘部を持って、前記被掛止部に、所定以上の力を作用させた場合、該被掛止部の一部のみが切断されるよう構成されてなる
ことを特徴とする請求項１〜請求項５いずれかの容器装置。
【請求項７】
前記筒状部Ａの掛止部は、該筒状部Ａの先端側に設けられた鍔部であり、
前記コック装置の筒状部Ｂは、前記ノズル部が取り付けられたノズル部取付面の一面側に、設けられてなり、
前記コック装置の被掛止部は、前記筒状部Ｂの外側位置であって、前記ノズル部取付面の一面側に、設けられてなる
ことを特徴とする請求項１〜請求項６いずれかの容器装置。
【請求項８】
前記筒状部Ａおよび前記筒状部Ｂは円筒状部であり、
前記筒状部Ｂを前記筒状部Ａに装着した状態において、該筒状部Ｂが回動可能に構成されてなる
ことを特徴とする請求項１〜請求項７いずれかの容器装置。
【請求項９】
前記筒状部Ａは、
前記筒状部Ｂを該筒状部Ａに装着した場合、該筒状部Ｂの被掛止部が両側から掛止する掛止部を具備する
ことを特徴とする請求項１〜請求項８いずれかの容器装置。
【発明の詳細な説明】
【技術分野】
【０００１】
本発明は容器装置に関する。
【背景技術】
【０００２】
美味しく、かつ、安全な水を求める人が多い。このようなことから、美味で安全な水が販売されている。この種の水は、例えば２Ｌ程度のペットボトルに充填されて販売されている。家庭用に向けては、大容量（例えば、１０Ｌ〜２０Ｌ）の容器に充填されて販売されている。
水以外にも、例えば、清涼飲料水、液体調味料（醤油など）、植物油、食料油などの液体（流体）も、大容量容器に充填されて販売されている。
【０００３】
前記大容量容器は、通常、プラスチックフィルム製の袋部と、前記袋部に取り付けられたコック装置とを有する。そして、コック装置を開状態にすると、前記袋部内の流体（液体：水、液体調味料、植物油、食料油など）が注出（排出）される。コック装置を閉状態にすると、流体（液体）の注出（排出）が停止する。この種の容器の一例が特許第４０２１５３１号公報（特許文献１）に開示されている。
【０００４】
特許文献１に開示の容器の一例が図３に示される。容器５０は、プラスチックフィルム製の袋部５１と、円筒状部５２と、コック装置５３と、リング（キャップ）５４とを具備する（図３参照）。円筒状部５２は袋部５１に溶着されている。円筒状部５２の外周側面には螺旋状溝５５が形成されている。コック装置５３は、ノズル部５６と、レバー部５７と、円筒状部５８とを具備する。ノズル部５６は、円筒状部５８の一面に一体的に取り付けられている。レバー部５７は、ノズル部５６内に装着されている。レバー部５７を回動することによって、レバー部５７に形成された孔５９を介して、ノズル部５６内と袋部５１内とが連通する。これによって、袋部５１内の水がノズル部５６から注出（排出）する。レバー部５７を元位置に戻すと、レバー部５７に形成された孔５９は図３に示される状態になる。これによって、ノズル部５６内と袋部５１内とは遮断（不連通）される。これによって、袋部５１内の水はノズル部５６から注出（排出）しなくなる。コック装置５３の円筒状部５２への取付作業は、コック装置５３の円筒状部５８を円筒状部５２に嵌め込み、リング５４の螺旋状溝６０を円筒状部５２の螺旋状溝５５に螺合することで完了する。
【先行技術文献】
【特許文献】
【０００５】
【特許文献１】特許第４０２１５３１号公報
【発明の概要】
【発明が解決しようとする課題】
【０００６】
容器５０（プラスチックフィルム製の袋部５１）内への水の充填作業は、コック装置５３が取り外された状態であれば、簡単に、行われる。充填完了後、コック装置５３が袋部５１（円筒状部５２）に装着される。この装着は、螺旋状溝６０と螺旋状溝５５との螺合による。この場合、リング５４を強固に締め付けなければ、即ち、締め付けが緩いと、円筒状部５８と円筒状部５２との間に隙間が出来る恐れが有る。そうすると、この隙間から水漏れが起きる恐れが有る。しかし、リング５４の回動が過度な場合、この時の摩擦力によって、円筒状部５８（コック装置）が回動させられる。この結果、ノズル部５６が、例えば鉛直方向から斜め（酷い場合には、水平方向）を向くようになる。この場合、水の注出方向が斜め方向になり、ノズル部５６からの水は、下に置かれた容器（コップや鍋）の外に出てしまうことが有る。従って、ノズル部５６の方向修正が必要になっても、この方向修正は、中々、難しい。なぜならば、ノズル部５６の方向修正を行った場合、この方向修正に伴ってリング５４が回動する恐れが有る。そうすると、リング５４による締付力が緩む。その結果、円筒状部５８と円筒状部５２との間に隙間が出来る。
【０００７】
螺旋状溝６０と螺旋状溝５５との螺合による場合、次のような問題が起きることが判って来た。例えば、殺菌の為、容器５０（袋部５１）内の液体を加熱する必要が有る場合、加熱に伴って前記螺合が緩むことである。この緩みは液漏れの恐れを引き起こす。
【０００８】
従って、本発明が解決しようとする課題は、コック装置の装着・離脱が容易で、例えば注液（液充填）作業が容易で、かつ、液漏れが起き難く、更にはノズル部の方向修正が容易で、しかも容器装置を構成する部品の分別廃棄が容易な容器装置を提供することである。
【課題を解決するための手段】
【０００９】
本発明は、
袋部と、前記袋部に取り付けられた筒状部Ａと、コック装置とを有する容器装置であって、
前記筒状部Ａは、
掛止部を具備し、
前記コック装置は、
ノズル部と、
レバー部と、
筒状部Ｂと、
前記筒状部Ｂを前記筒状部Ａに装着した場合、前記筒状部Ａの掛止部に掛止する被掛止部
とを具備してなり、
前記レバー部は、
前記筒状部Ｂを前記筒状部Ａに装着した状態において、該レバー部の動作によって、前記袋部内の流体が、前記ノズル部を介して外部に流出することを可能としたり前記流出を停止せしめるよう構成されてなり、
前記筒状部Ｂの前記筒状部Ａへの装着および／または離脱を容易にする変形機構を更に具備する
ことを特徴とする容器装置を提案する。
【００１０】
本発明は、前記容器装置であって、好ましくは、前記変形機構は、前記掛止部および／または前記被掛止部の少なくとも一部の変形を容易とする機構であることを特徴とする容器装置を提案する。
【００１１】
本発明は、前記容器装置であって、好ましくは、前記変形機構は、前記掛止部および／または前記被掛止部の一部のみの変形を容易とする機構であることを特徴とする容器装置を提案する。
【００１２】
本発明は、前記容器装置であって、好ましくは、前記変形機構は、前記掛止部および／または前記被掛止部に所定以上の力を作用させた場合、前記掛止部および／または前記被掛止部の少なくとも一部が切断される切断機構であることを特徴とする容器装置を提案する。
【００１３】
本発明は、前記容器装置であって、好ましくは、前記変形機構は、前記掛止部および／または前記被掛止部に所定以上の力を作用させた場合、前記掛止部および／または前記被掛止部の一部のみが切断される切断機構であることを特徴とする容器装置を提案する。
【００１４】
本発明は、前記容器装置であって、好ましくは、前記変形機構は、前記掛止部および／または前記被掛止部の周囲方向に沿って前記掛止部および／または前記被掛止部に構成された薄肉部であることを特徴とする容器装置を提案する。
【００１５】
本発明は、前記容器装置であって、好ましくは、前記変形機構は、前記掛止部および／または前記被掛止部の周囲方向および周方向に交差する方向に沿って前記掛止部および／または前記被掛止部に構成された薄肉部であることを特徴とする容器装置を提案する。
【００１６】
本発明は、前記容器装置であって、好ましくは、前記被掛止部は摘部を具備してなり、前記変形機構は、前記摘部を持って、前記被掛止部に、所定以上の力を作用させた場合、該被掛止部の少なくとも一部が切断されるよう構成されてなることを特徴とする容器装置を提案する。
【００１７】
本発明は、前記容器装置であって、好ましくは、前記被掛止部は摘部を具備してなり、前記変形機構は、前記摘部を持って、前記被掛止部に、所定以上の力を作用させた場合、該被掛止部の一部のみが切断されるよう構成されてなることを特徴とする容器装置を提案する。
【００１８】
本発明は、前記容器装置であって、好ましくは、前記筒状部Ａの掛止部は、該筒状部Ａの先端側に設けられた鍔部であり、前記コック装置の筒状部Ｂは、前記ノズル部が取り付けられたノズル部取付面の一面側に、設けられてなり、前記コック装置の被掛止部は、前記筒状部Ｂの外側位置であって、前記ノズル部取付面の一面側に、設けられてなることを特徴とする容器装置を提案する。
【００１９】
本発明は、前記容器装置であって、好ましくは、前記筒状部Ａおよび前記筒状部Ｂは円筒状部であり、前記筒状部Ｂを前記筒状部Ａに装着した状態において、該筒状部Ｂが回動可能に構成されてなることを特徴とする容器装置を提案する。
【００２０】
本発明は、前記容器装置であって、好ましくは、前記筒状部Ａは、前記筒状部Ｂを該筒状部Ａに装着した場合、該筒状部Ｂの被掛止部が両側から掛止する掛止部を具備することを特徴とする容器装置を提案する。
【発明の効果】
【００２１】
本発明によれば、コック装置の取付作業および／または取外作業が容易になる。
【００２２】
例えば、袋部内に水（液体）を充填（注入）する作業が容易になる。なぜならば、コック装置を取り付ける前に、注水（水充填）作業が出来るからである。コック装置を取り付けた後であれば、袋部内への注水（水充填）作業が大変なことは容易に理解できる。袋部内への注水が容易であっても、コック装置を取り付けるのが大変であれば、これは、意味が小さい。しかし、コック装置の取付作業が容易な場合、作業がスムーズに進む。
【００２３】
袋部内の水（液体）が使用されてしまい、容器装置を廃棄する場合、コック装置を取り除くことが容易である。一般的に、袋部は軟質樹脂で構成されているのに対して、コック装置は硬質樹脂で構成されることが多い。すなわち、袋部とコック装置とは、異種材料で構成される。このような時、容器装置の廃棄に際して、コック装置と袋部との分別廃棄が容易となる。コック装置が除去された場合、袋部内に残っている少量の水の取出しが容易である。
【００２４】
しかも、袋部内からの流漏れが起き難い。例えば、殺菌の為、加熱処理が行われても、コック装置の取付具合に緩みが起き難く、液漏れが起き難い。
【図面の簡単な説明】
【００２５】
【図１】本発明の一実施形態になる容器装置の要部断面図
【図２】本発明の一実施形態になる容器装置のコック装置の概略斜視図
【図３】従来の容器装置の要部断面図
【発明を実施するための形態】
【００２６】
本発明は容器装置である。前記容器装置の好ましい実施形態は次の通りである。この容器装置は、例えば容器（袋部）内に充填された内容物（液体：流体）の加熱処理（例えば、殺菌の為、加熱処理）に際しても用いられる。前記容器装置は袋部を具備する。前記容器装置は筒状部Ａを具備する。前記筒状部Ａは前記袋部に取り付けられている。前記筒状部Ａは掛止部を具備する。前記容器装置はコック装置を具備する。前記コック装置はノズル部を具備する。前記コック装置はレバー部を具備する。前記コック装置は筒状部Ｂを具備する。前記コック装置は被掛止部を具備する。前記被掛止部は、前記筒状部Ｂを前記筒状部Ａに装着（例えば、嵌着：嵌合）した場合、前記筒状部Ａの掛止部に掛止する。前記レバー部は、前記筒状部Ｂを前記筒状部Ａに装着した状態において、該レバー部の動作によって、前記袋部内の流体が、前記ノズル部を介して外部に流出することを可能としたり前記流出を停止せしめるよう構成されている。前記容器装置は変形機構を更に具備する。前記変形機構は、前記筒状部Ｂの前記筒状部Ａへの装着および／または離脱を容易にする機構である。前記変形機構が無い場合、例えば前記筒状部Ｂを前記筒状部Ａから取り外す場合、即ち、コック装置を取り外す場合、その作業が極めて困難である。特別な器具を用いなければ不可能な場合も有る。しかし、前記変形機構を具備させておけば、特別な器具を用いずとも、コック装置の取外作業は簡単である。
【００２７】
前記変形機構は、例えば前記掛止部および／または前記被掛止部の少なくとも一部の変形を容易とする機構である。前記変形機構は、例えば前記掛止部および／または前記被掛止部の一部のみの変形を容易とする機構である。前記変形機構は、例えば切断機構である。前記切断機構は、前記掛止部および／または前記被掛止部に所定以上の力を作用させた場合、前記掛止部および／または前記被掛止部の少なくとも一部が切断される機構である。前記切断機構は、前記掛止部および／または前記被掛止部に所定以上の力を作用させた場合、前記掛止部および／または前記被掛止部の一部のみが切断される機構である。前記変形機構（前記切断機構）は、例えば薄肉部である。前記薄肉部は、例えば前記掛止部および／または前記被掛止部の周囲方向に沿って、前記掛止部および／または前記被掛止部に構成された薄肉部である。或いは、例えば前記掛止部および／または前記被掛止部の周囲方向および周方向に交差する方向に沿って、前記掛止部および／または前記被掛止部に構成された薄肉部である。
【００２８】
前記被掛止部は、好ましくは、摘部を具備する。前記変形機構（前記切断機構）は、例えば前記摘部を持って、前記被掛止部に、所定以上の力を作用させた場合、該被掛止部の少なくとも一部が切断されるよう構成されたものである。前記変形機構（前記切断機構）は、例えば前記摘部を持って、前記被掛止部に、所定以上の力を作用させた場合、該被掛止部の一部のみが切断されるよう構成されたものである。前記変形機構（前記切断機構）は、例えば薄肉構造である。
【００２９】
前記筒状部Ａの掛止部は、例えば鍔部である。前記掛止部（例えば、鍔部）は、前記筒状部Ａの、例えば先端側に設けられている。前記コック装置の筒状部Ｂは、例えば前記ノズル部が取り付けられたノズル部取付面の一面（背面）側に設けられたものである。前記コック装置の被掛止部は、例えば前記筒状部Ｂの外側位置であって、前記ノズル部取付面の一面（背面）側に設けられたものである。
【００３０】
前記筒状部Ａおよび前記筒状部Ｂは、例えば円筒状部である。角筒状部であっても良いが、前記筒状部Ｂの前記筒状部Ａへの装着性や離脱性、更には前記筒状部Ｂの回動性を鑑みたならば、前記筒状部Ａおよび前記筒状部Ｂは円筒状部であることが好ましい。
【００３１】
前記筒状部Ａは、前記筒状部Ｂを該筒状部Ａに装着した場合、好ましくは、該筒状部Ｂの被掛止部が両側から掛止する掛止部を具備する。これによって、前記コック装置の固定が確実になる。
【００３２】
前記袋部は軟質素材で構成される。例えば、ポリエチレン、ポリプロピレン等のオレフィン系樹脂のフィルム（或いは、シート）で構成される。これに対して、コック装置は硬質素材で構成される。例えば、ポリエステル樹脂などで構成される。
【００３３】
以下、具体的な実施形態を挙げて本発明の説明が行われる。但し、本発明は以下の具体的実施形態に限定されるものではない。本発明の特長が損なわれない限り、各種の変形例・応用例も含まれる。
【００３４】
図１及び図２は本発明の一実施形態になる容器装置の説明図であり、図１は要部断面図、図２はコック装置の概略斜視図である。
【００３５】
各図中、１は、軟質樹脂（例えば、ポリエチレン等のポリオレフィン）フィルムで構成された袋部である。
【００３６】
２は円筒状部である。３は、円筒状部２の先端側に設けられた鍔である。４，５は、円筒状部２の中程の位置に設けられた鍔である。鍔３と鍔４とは、後述のリング部１０の挟持（掛止）に用いられる。鍔４と鍔５とは、容器を収納しているダンボール箱の挟持に用いられる。逆に言うと、鍔４と鍔５とによって、円筒状部２がダンボール箱に固定される。６は、円筒状部２の基端部に設けられた幅広なフランジである。フランジ６は袋部１に取り付けられている。この一体化は、例えば熱溶着や超音波溶着の手段により、行われている。円筒状部２は硬質樹脂（例えば、ポリエステル樹脂など）で成形されている。
【００３７】
７はコック装置である。コック装置７は硬質樹脂（例えば、ポリエステル樹脂など）で構成されている。８は円板である。円板８の背面側には円筒状部９が一体的に設けられている。円筒状部９の外径（直径）は円筒状部２の内径（直径）に略等しい。すなわち、円筒状部９と円筒状部２とは、円筒状部９を円筒状部２内に嵌合（好ましくは密着嵌合）できるように構成されている。１０はリング部である。リング部１０は円筒状部９の外側に同心状に設けられている。円筒状部９を円筒状部２内に嵌合した場合、リング部１０は鍔３と鍔４とで挟持されるように構成されている。すなわち、リング部１０は鍔３，４で位置規制（掛止：挟持）される。円筒状部９を円筒状部２内に嵌合する際、当初、リング部１０の先端面が鍔３の表面に当たる。この嵌合動作をスムーズなものとする為、リング部１０の先端側における内形にはテーパー（直線状あるいは曲線状）が付いている。すなわち、リング部１０の内径は先端側が大きなように形成されている（図１参照）。鍔３の端部における表面も、テーパー（直線状あるいは曲線状）が付いている（図１参照）。これによって、リング部１０が、より、拡がり易くなり、円筒状部９を円筒状部２内に嵌合し易い。１１は摘部である。摘部１１は、リング部１０の先端側に形成されている。１２は、リング部１０の円周方向に沿って、リング部１０に形成された凹部である。凹部１２は、一周全て（３６０°）に亘って形成されているものでは無い。摘部１１の近傍個所において、凹部１２が僅かに形成されていない領域が有る。１３は、摘部１１の位置の側部であって、かつ、円板８面に対して直交する方向に沿って、リング部１０に形成された凹部である。凹部１２，１３の個所では、リング部１０の肉厚は薄い。従って、摘部１１を持って、摘部１１を引っ張ると、凹部１２，１３の個所は薄肉であるから、凹部１２，１３の位置において、リング部１０が切断される。但し、凹部１２が形成されていない箇所が有るから、リング部１０が完全に２分割されるものでは無い。未切断個所が有るから、これらは、互いに、繋がっている。更に、リング部１０に外力が作用すると、凹部１２，１３の個所は薄肉であるから、リング部１０は、凹部１２，１３の個所において、変形し易い。凹部１３は、代わりに、スリットであっても良い。すなわち、スリットであっても、リング部１０と鍔３，４との間の掛止力に大きな問題はないであろう。但し、凹部１２の代わりに、これがスリットであった場合には、リング部１０が搖動し易く、リング部１０と鍔３，４との間の掛止力に問題が起きる恐れも考えられる。しかし、このスリット長が短ければ、例えば半周以下の長さであれば、大きな問題にはならないであろう。円板８上にはノズル部１４が取り付けられている。ノズル部１４内にはレバー１５が装着されている。レバー１５は、ノズル部１４内に装填される筒部１６と操作部１７とを有する。操作部１７は、筒部１６に対して、交差（直交）して設けられている。筒部１６には孔１８が形成されている。操作部１７を回動させると、孔１８が孔１９（円板８に形成された孔１９）に対応し、円筒状部９の内空間（袋部１の内空間）とノズル部１４とが連通状態となる。この状態���は、袋部１の流体（例えば、水）がノズル部１４から注出する。操作部１７を元の位置に戻すと、孔１８が孔１９（円板８に形成された孔１９）に対応せず、円筒状部９の内空間（袋部１の内空間）とノズル部１４の内空間との連通は遮断（不連通状態）される。この状態では、袋部１の流体（例えば、水）はノズル部１４から注出しない。
【００３８】
上記のように構成させた容器装置の使用形態が、簡単に、説明される。以下では水の場合で説明されるが、他の液体の場合でも同じである。
先ず、袋部１内に水が充填される場合が説明される。水充填前にあっては、コック装置７は装着されていない。従って、水は、円筒状部２の先端開口から、袋部１内に、簡単に、注入（充填）される。注入（充填）後に、コック装置７が装着される。すなわち、コック装置７の円筒状部９が円筒状部２内に嵌め込まれる。嵌合に伴って、コック装置７のリング部１０が円筒状部２の鍔３と鍔４との間に嵌り込む。リング部１０が鍔３，４によって挟持（掛止）されているから、コック装置７を抜き取るのは極めて困難である。円筒状部９には凹部（薄肉部）１２，１３が形成されているから、圧力（力）が作用すると、円筒状部９は比較的変形し易い。従って、凹部（薄肉部）１２，１３が形成されていない場合に比べたならば、円筒状部９の円筒状部２内への嵌め込み作業は容易である。
【００３９】
さて、袋部１内の水が殆ど使用されてしまった場合、即ち、袋部１内の水量が少なくなった場合、容器装置をダンボール箱から取りだし、袋部１を絞りながら、ノズル部１４からの注出（排水）が試みられる。この時、コック装置７が存在していると、逆に、水の注出（排水）が困難になる。従って、コック装置７を取り外したい。この時、上記実施形態のものでは、摘部１１を持って、摘部１１を引っ張ると、凹部１２，１３の位置において、リング部１０が簡単に切断される。従って、コック装置７の取外作業が簡単である。コック装置７が取り外されたならば、円筒状部２の先端開口から、簡単に、水の注出（排水）が行われる。そして、完全に水が使われた後では、硬質樹脂製のコック装置７と軟質樹脂製の袋部１とを分別廃棄することが出来る。
【００４０】
上記実施形態においては、円筒状部２と円筒状部９とは、単に、嵌合しているのみである。例えば、円筒状部９の外周面や円筒状部２の内周面に螺旋状溝が形成されているものでは無い。すなわち、両者は螺着によって一体化しているものでは無い。従って、円筒状部９を回動させても問題が起き難い。例えば、円筒状部９を回動しても、水密性が低下しない。螺着による一体化の場合には、螺着度（回動度）によっては（締め付けが緩い場合には）、一体化（水密性）が低下する。従って、一体化（水密性）の点から、回動角度に制約が有る。そうすると、場合によっては、ノズルの方向が下側（鉛直方向）を向かない場合が起きる。この場合、ノズルを介しての排水（水の注出）が不便である。しかし、上記実施形態の如く、螺着構造でない場合、斯かる問題が起き難い。更に、螺着構造でないことから、加熱処理が行われても、コック装置７の取付具合に緩みが起き難い。
【００４１】
上記実施形態では、凹部（薄肉部）１２はリング部１０に形成された場合であった。しかし、凹部（薄肉部）や摘部を円筒状部２の側に設けることも出来る。この場合、前記摘部を持って引っ張った場合、前記凹部（薄肉部）の個所で円筒状部２が完全に分断され、円筒状部２の先端側と一体になったコック装置７を取り除くことが出来る。しかし、この場合、円筒状部２の切断時に切断屑（粉）が円筒状部２内に入る恐れも有るから、凹部（薄肉部）はリング部１０の側に設けられることが好ましい。
【符号の説明】
【００４２】
１            袋部
２            円筒状部（筒状部Ａ）
３            鍔（掛止部）
４，５        鍔
６            フランジ
７            コック装置
８            円板
９            円筒状部（筒状部Ｂ）
１０          リング部（被掛止部）
１１          摘部
１２          凹部（薄肉部）
１３          凹部
１４          ノズル部
１５          レバー
１６          筒部
１７          操作部
１８，１９    孔
【図１】
2015000757.tif 000003
【図２】
2015000757.tif 000004
【図３】
2015000757.tif 000005